(57)【要約】【課題】大規模な回路を用いなくても、クロスカラーやドット妨害等の映像不具合の発生を抑えることができる信号分離装置を提供する。【解決手段】合成映像信号において輝度信号と色信号との分離が難しい周波数帯を第一ＢＰＦ１９と第二ＢＰＦ２１とによって除くようにする。なお、第一ＢＰＦ１９は、分離が難しい周波数帯よりも広い周波数帯を通過させるフィルタであり、第二ＢＰＦ２１は分離が難しい周波数帯よりも狭い周波数帯を通過させるフィルタである。このため、出力される色信号と輝度信号には、色信号と輝度信号とが混ざり合っていて分離が難しい周波数帯の成分を含まない。よって、クロスカラーの発生やドット妨害の発生を抑えることができる。【選択図】図１
2008098917.tif 000002
【特許請求の範囲】
【請求項１】
輝度信号と色信号とが合成された合成映像信号を入力し、輝度信号と色信号とを分離して出力する信号分離装置において、
前記合成映像信号を入力し、輝度信号と色信号との分離が難しい分離困難周波数帯及び色信号成分の周波数帯の信号を通過させて出力する第一の帯域通過フィルタと、
前記第一の帯域通過フィルタの出力信号を入力し、前記色信号成分の周波数帯から前記分離困難周波数帯を除いた周波数帯の信号を通過させて色信号として出力する第二の帯域通過フィルタと、
前記合成映像信号と前記第一の帯域通過フィルタの出力信号とを入力し、前記合成映像信号から前記第一の帯域通過フィルタの出力信号を減算して輝度信号として出力する減算手段と、
を備えることを特徴とする信号分離装置。
【請求項２】
輝度信号と色信号とが合成された合成映像信号を入力し、輝度信号と色信号とを分離して出力する信号分離装置において、
前記合成映像信号を１ライン分遅延させて出力する第一のライン遅延手段と、
前記合成映像信号を２ライン分遅延させて出力する第二のライン遅延手段と、
前記合成映像信号と前記第一のライン遅延手段の出力信号と前記第二のライン遅延手段の出力信号とを入力し、これら信号の相関度合いを判断してその結果を出力する相関判断手段と、
前記第一のライン遅延手段の出力信号を入力し、輝度信号と色信号との分離が難しい分離困難周波数帯及び色信号成分の周波数帯の信号を通過させて出力する第一の帯域通過フィルタと、
前記第一の帯域通過フィルタの出力信号を入力し、前記色信号成分の周波数帯から前記分離困難周波数帯を除いた周波数帯の信号を通過させて出力する第二の帯域通過フィルタと、
前記第一のライン遅延手段の出力信号と前記第一の帯域通過フィルタの出力信号とを入力し、前記第一のライン遅延手段の出力信号から前記第一の帯域通過フィルタの出力信号を減算して出力する第一の減算手段と、
前記第一のライン遅延手段の出力信号と前記第二のライン遅延手段の出力信号とを入力し、これらの出力信号を加算して出力する加算手段と、
前記第一のライン遅延手段の出力信号と前記第二のライン遅延手段の出力信号とを入力し、前記第一のライン遅延手段の出力信号から前記第二のライン遅延手段の出力信号を減算して出力する第二の減算手段と、
前記相関判断手段の出力結果と前記第一の減算手段の出力信号と前記加算手段の出力信号とを入力し、前記相関判断手段の出力結果に応じて前記第一の減算手段の出力信号と前記加算手段の出力信号と切り替えて輝度信号として出力する第一のセレクタと、
前記相関判断手段の出力結果と前記第二の帯域通過フィルタの出力信号と前記第二の減算手段の出力信号とを入力し、前記相関判断手段の出力結果に応じて前記第二の帯域通過フィルタの出力信号と前記第二の減算手段の出力信号とを切り替えて色信号として出力する第二のセレクタと、
を備えることを特徴とする信号分離装置。
【請求項３】
輝度信号と色信号とが合成された合成映像信号を入力し、輝度信号と色信号とを分離して出力する信号分離装置において、
前記合成映像信号を１ライン分遅延させて出力する第一のライン遅延手段と、
前記合成映像信号を２ライン分遅延させて出力する第二のライン遅延手段と、
前記合成映像信号と前記第一のライン遅延手段の出力信号と前記第二のライン遅延手段の出力信号とを入力し、これら信号の相関度合いを判断してその結果を出力する相関判断手段と、
前記第一のライン遅延手段の出力信号を入力し、輝度信号と色信号との分離が難しい分離困難周波数帯及び色信号成分の周波数帯の信号を通過させて出力する第一の帯域通過フィルタと、
前記第一の帯域通過フィルタの出力信号を入力し、前記色信号成分の周波数帯から前記分離困難周波数帯を除いた周波数帯の信号を通過させて出力する第二の帯域通過フィルタと、
前記第一のライン遅延手段の出力信号と前記第一の帯域通過フィルタの出力信号とを入力し、前記第一のライン遅延手段の出力信号から前記第一の帯域通過フィルタの出力信号を減算して出力する第一の減算手段と、
前記第一のライン遅延手段の出力信号と前記第二のライン遅延手段の出力信号とを入力し、これらの出力信号を加算して出力する加算手段と、
前記第一のライン遅延手段の出力信号と前記第二のライン遅延手段の出力信号とを入力し、前記第一のライン遅延手段の出力信号から前記第二のライン遅延手段の出力信号を減算して出力する第二の減算手段と、
前記加算手段の出力信号を入力し、前記分離困難周波数帯の信号を通過させて制御信号として出力する制御信号出力手段と、
前記制御信号出力手段の前記制御信号と前記第二の減算手段の出力信号とを入力し、前記制御信号出力手段の前記制御信号に対応させて前記第二の減算手段の出力信号を低減させるゲイン制御手段と、
前記相関判断手段の出力結果と前記第一の減算手段の出力信号と前記加算手段の出力信号とを入力し、前記相関判断手段の出力結果に応じて前記第一の減算手段の出力信号と前記加算手段の出力信号と切り替えて輝度信号として出力する第一のセレクタと、
前記相関判断手段の出力結果と前記第二の帯域通過フィルタの出力信号と前記第二の減算手段の出力信号とを入力し、前記相関判断手段の出力結果に応じて前記第二の帯域通過フィルタの出力信号と前記ゲイン制御手段の出力信号とを切り替えて色信号として出力する第二のセレクタと、
を備えることを特徴とする信号分離装置。
【発明の詳細な説明】
【技術分野】
【０００１】
本発明は、輝度信号と色信号とが合成された合成映像信号から、輝度信号と色信号とを分離する信号分離装置に関する。
【背景技術】
【０００２】
テレビ受像機では、輝度信号と色信号とが合成された合成映像信号から、輝度信号と色信号とを分離する必要がある。簡易な手法としては、色信号の周波数のみを通過させるＢＰＦ（Band Pass Filter）を用いて分離する手法や、上下ラインの色位相相関からの判断情報を元に分離する手法（いわゆる「くし形フィルタ」を用いる手法）が知られている。
【０００３】
前者の手法は、合成映像信号を、色信号の周波数のみを通すＢＰＦに入力しその出力信号を色信号とし、その色信号によって合成映像信号を減算した結果の信号を輝度信号とするものである。また、後者の手法は、１ライン遅延させた合成信号と遅延させる前の合成信号とを加算した結果の信号を輝度信号とし、遅延させる前の合成信号を１ライン遅延させた合成信号により減算した結果の信号を色信号とするものである。
【０００４】
これらの手法は簡易ではあるが、クロスカラーやドット妨害を発生させ、映像の品質低下を招く。
そこで、これらの不具合を除去するためにフィールドメモリと複雑な回路を用いて上記問題に対応している。例えば、下記の特許文献１では、フィールド遅延回路とライン遅延回路の出力を各種のフィルタに入力し、それらのフィルタの出力結果を、時間、垂直、水平方向に帯域制限した非相関検出結果に応じて切り替えて用いる技術が記載されている。
【特許文献１】特開平９−１６３３９８号公報
【発明の開示】
【発明が解決しようとする課題】
【０００５】
しかしながら、特許文献１に記載されたような回路を、車載ディスプレイや携帯型ディスプレイ等の小型ディスプレイに用いると、これらのディスプレイのサイズに比較して回路部分が大変大きなものになってしまう。また、これらのディスプレイの表示領域面積を考慮すれば、若干の映像情報の欠落があったとしても、ユーザが感じる表示品質への影響は少ないと考えられる。このため、特許文献１に記載されたような回路を、上述した小型ディスプレイに用いることは、過剰な分離性能を有した回路を用いているとも言える。
【０００６】
本発明は、このような事情にかんがみなされたものであり、大規模な回路を用いなくても、クロスカラーやドット妨害等の映像不具合の発生を抑えることができる信号分離装置を提供することを目的とする。
【課題を解決するための手段】
【０００７】
上記課題を解決するためになされた請求項１に記載の信号分離装置は、色信号成分の周波数帯に加え、輝度信号と色信号との分離が難しい分離困難周波数帯及び色信号成分の周波数帯の信号を通過させて出力する第一の帯域通過フィルタと、その出力信号を入力し、色信号成分の周波数帯から分離困難周波数帯を除いた周波数帯の信号を通過させて色信号として出力する第二の帯域通過フィルタと、合成映像信号と第一の帯域通過フィルタの出力信号とを入力し、合成映像信号から第一の帯域通過フィルタの出力信号を減算して輝度信号として出力する減算手段とを備える。
【０００８】
したがって、減算手段から出力される輝度信号からは、輝度信号と色信号との分離が難しい周波数帯が除かれており、第二の帯域通過フィルタから出力される色信号からは、輝度信号と色信号との分離が難しい周波数帯が除かれている。よって、大規模な回路を用いなくても、クロスカラーやドット妨害の発生を抑えることができる。
【０００９】
また、上記課題を解決するためになされた請求項２に記載の信号分離装置は、合成映像信号を１ライン分遅延させて出力する第一のライン遅延手段と、合成映像信号を２ライン分遅延させて出力する第二のライン遅延手段と、合成映像信号と第一のライン遅延手段の出力信号と第二のライン遅延手段の出力信号とを入力し、これら信号の相関度合いを判断してその結果を出力する相関判断手段と、第一のライン遅延手段の出力信号を入力し、輝度信号と色信号との分離が難しい分離困難周波数帯及び色信号成分の周波数帯の信号を通過させて出力する第一の帯域通過フィルタと、第一の帯域通過フィルタの出力信号を入力し、色信号成分の周波数帯から分離困難周波数帯を除いた周波数帯の信号を通過させて出力する第二の帯域通過フィルタと、第一のライン遅延手段の出力信号と第一の帯域通過フィルタの出力信号とを入力し、第一のライン遅延手段の出力信号から第一の帯域通過フィルタの出力信号を減算して出力する第一の減算手段と、第一のライン遅延手段の出力信号と第二のライン遅延手段の出力信号とを入力し、これらの出力信号を加算して出力する加算手段と、第一のライン遅延手段の出力信号と第二のライン遅延手段の出力信号とを入力し、第一のライン遅延手段の出力信号から第二のライン遅延手段の出力信号を減算して出力する第二の減算手段と、相関判断手段の出力結果と第一の減算手段の出力信号と加算手段の出力信号とを入力し、相関判断手段の出力結果に応じて第一の減算手段の出力信号と加算手段の出力信号と切り替えて輝度信号として出力する第一のセレクタと、相関判断手段の出力結果と第二の帯域通過フィルタの出力信号と第二の減算手段の出力信号とを入力し、相関判断手段の出力結果に応じて第二の帯域通過フィルタの出力信号と第二の減算手段の出力信号とを切り替えて色信号として出力する第二のセレクタとを備える。
【００１０】
したがって、第一の減算手段の出力信号が第一のセレクタから輝度信号として出力されている場合、その輝度信号は、輝度信号と色信号との分離が難しい周波数帯が除かれた信号である。また、第二の帯域通過フィルタからの出力信号が第二のセレクタから色信号として出力されている場合、その色信号は、輝度信号と色信号との分離が難しい周波数帯が除かれた信号である。よって、大規模な回路を用いなくても、クロスカラーやドット妨害の発生を抑えることができる。なお、上下ラインの相関に応じて（相関が所定以上ある場合には）、加算手段の出力信号が輝度信号になり、第二の減算手段の出力信号が色信号になるため、さらにクロスカラーの発生を効果的に抑えることができる。
【００１１】
また、上記課題を解決するためになされた請求項３に記載の信号分離装置は、合成映像信号を１ライン分遅延させて出力する第一のライン遅延手段と、合成映像信号を２ライン分遅延させて出力する第二のライン遅延手段と、合成映像信号と第一のライン遅延手段の出力信号と第二のライン遅延手段の出力信号とを入力し、これら信号の相関度合いを判断してその結果を出力する相関判断手段と、第一のライン遅延手段の出力信号を入力し、輝度信号と色信号との分離が難しい分離困難周波数帯及び色信号成分の周波数帯の信号を通過させて出力する第一の帯域通過フィルタと、第一の帯域通過フィルタの出力信号を入力し、色信号成分の周波数帯から分離困難周波数帯を除いた周波数帯の信号を通過させて出力する第二の帯域通過フィルタと、第一のライン遅延手段の出力信号と第一の帯域通過フィルタの出力信号とを入力し、第一のライン遅延手段の出力信号から第一の帯域通過フィルタの出力信号を減算して出力する第一の減算手段と、第一のライン遅延手段の出力信号と第二のライン遅延手段の出力信号とを入力し、これらの出力信号を加算して出力する加算手段と、第一のライン遅延手段の出力信号と第二のライン遅延手段の出力信号とを入力し、第一のライン遅延手段の出力信号から第二のライン遅延手段の出力信号を減算して出力する第二の減算手段と、加算手段の出力信号を入力し、分離困難周波数帯の信号を通過させて制御信号として出力する制御信号出力手段と制御信号出力手段の制御信号と第二の減算手段の出力信号とを入力し、制御信号出力手段の制御信号に対応させて第二の減算手段の出力信号を低減させるゲイン制御手段と、相関判断手段の出力結果と第一の減算手段の出力信号と加算手段の出力信号とを入力し、相関判断手段の出力結果に応じて第一の減算手段の出力信号と加算手段の出力信号と切り替えて輝度信号として出力する第一のセレクタと、相関判断手段の出力結果と第二の帯域通過フィルタの出力信号と第二の減算手段の出力信号とを入力し、相関判断手段の出力結果に応じて第二の帯域通過フィルタの出力信号とゲイン制御手段の出力信号とを切り替えて色信号として出力する第二のセレクタとを備える。
【００１２】
したがって、第一の減算手段の出力信号が第一のセレクタから輝度信号として出力されている場合、その輝度信号は、輝度信号と色信号との分離が難しい周波数帯が除かれた信号である。また、第二の帯域通過フィルタからの出力信号が第二のセレクタから色信号として出力されている場合、その色信号は、輝度信号と色信号との分離が難しい周波数帯が除かれた信号である。よって、大規模な回路を用いなくても、クロスカラーの発生やドット妨害の発生を抑えることができる。
【００１３】
また一般的に、くし形フィルタが用いられた場合、輝度信号が分離困難周波数帯に存在するタイミングでは、色信号に輝度信号が乗ってしまい不正な色信号になっているケースも多い。本発明の信号分離装置では、加算手段から出力される信号（輝度信号）が分離困難周波数帯に存在するタイミングにゲイン制御手段から出力される信号（色信号）は、振幅が抑えられた信号である。よって、大規模な回路を用いなくても、クロスカラーの発生を効果的に抑えることができる。
【発明を実施するための最良の形態】
【００１４】
以下、本発明が適用された実施形態について図面を用いて説明する。尚、本発明の実施の形態は、下記の実施形態に何ら限定されることはなく、本発明の技術的範囲に属する限り種々の形態を採りうる。
【００１５】
［第一実施形態］
図１は、第一実施形態の信号分離装置１の概略構成を示すブロック図である。入力信号端子１１は、輝度信号と色信号とが合成されたＮＴＳＣ方式の合成映像信号を入力する端子である。入力信号端子１１に入力された合成映像信号は、第一ライン遅延回路１３と第二ライン遅延回路１５と相関判断回路１７とに出力される。
【００１６】
第一ライン遅延回路１３は、入力信号端子１１より入力した合成映像信号を１ライン遅延させる遅延回路である。１ライン遅延させた合成映像信号は、相関判断回路１７と第一ＢＰＦ１９と第一減算回路２３と加算回路２５と第二減算回路２７とに出力される。
【００１７】
第二ライン遅延回路１５は、入力信号端子１１より入力した合成映像信号を２ライン遅延させる遅延回路である。２ライン遅延させた合成映像信号は、相関判断回路１７と加算回路２５と第二減算回路２７とに出力される。
【００１８】
相関判断回路１７は、入力信号端子１１より入力した合成映像信号と、第一ライン遅延回路１３から入力した１ライン遅延された合成映像信号と、第二ライン遅延回路１５から入力した２ライン遅延された合成映像信号との相関を判断し、第一セレクタ３３及び第二セレクタ３５に対して切り替え信号を出力する。なお、上記信号間の相関が所定閾値以上ある場合は、オン信号が出力され、上記信号間の相関が所定値未満である場合はオフ信号が出力される。また、この閾値は、後述する輝度信号出力端子３７から出力される輝度信号と色信号出力端子３９から出力される色信号とによって形成される映像の具合を見ながら調整されるものである。
【００１９】
第一ＢＰＦ１９は、第一ライン遅延回路１３から入力した１ライン遅延された合成映像信号を入力し、第一の周波数帯の信号のみを通過させて、第二ＢＰＦ２１と第一減算回路２３とに出力する。なお、「第一の周波数帯」については後述する。
【００２０】
第二ＢＰＦ２１は、第一ＢＰＦ１９から第一の周波数帯のみになった信号を入力し、第二の周波数帯の信号のみを通過させて、第二セレクタ３５へ出力する。なお、「第二の周波数帯」については後述する。
【００２１】
第一減算回路２３は、第一ライン遅延回路１３から入力した１ライン遅延された合成映像信号から第一ＢＰＦ１９によって第一の周波数帯のみになった信号を減算し、第一セレクタ３３へ出力する。
【００２２】
加算回路２５は、第一ライン遅延回路１３から入力した１ライン遅延された合成映像信号と第二ライン遅延回路１５から入力した２ライン遅延された合成映像信号とを加算し、加算した信号を、第一セレクタ３３へ出力する。
【００２３】
第二減算回路２７は、第一ライン遅延回路１３から入力した１ライン遅延された合成映像信号から第二ライン遅延回路１５から入力した２ライン遅延された合成映像信号を減算し、第二セレクタ３５へ出力する。
【００２４】
第一セレクタ３３は、第一減算回路２３から入力した信号と加算回路２５から入力した信号とを、相関判断回路１７からの信号に基づいて切り替えて出力する。具体的には、相関判断回路１７からオフ信号が出力されている間は、第一減算回路２３からの信号を出力し、相関判断回路１７からオン信号が出力されている間は加算回路２５からの信号を輝度信号出力端子３７へ出力する。
【００２５】
第二セレクタ３５は、第二ＢＰＦ２１から入力した信号と第二減算回路２７とから入力した信号とを、相関判断回路１７からの信号に基づいて切り替えて出力する。具体的には、相関判断回路１７からオフ信号が出力されている間は、第二ＢＰＦ２１からの信号を出力し、相関判断回路１７からオン信号が出力されている間は第二減算回路２７からの信号を色信号出力端子３９へ出力する。
【００２６】
輝度信号出力端子３７は、第一セレクタ３３から入力した信号を出力可能な端子である。
色信号出力端子３９は、第二セレクタ３５から入力した信号を出力可能な端子である。
【００２７】
次に、図２を用いて第一ＢＰＦ１９及び第二ＢＰＦ２１の特性について説明する。
図２（ａ）は、合成映像信号の存在する周波数成分とレベルとを表したグラフである。合成映像信号は輝度信号上に色信号が重畳されており、所定の周波数帯に色信号が存在するようになっている（円弧Ｐ参照）。したがって、円弧Ｐに沿った周波数特性を有するフィルタを用いれば、輝度信号と色信号とを分離することができる。しかし、円弧Ｐの境界付近は、色信号と輝度信号とが混ざり合っており、完全に分離するフィルタを設計することは難しい。また、分離精度を追求すると回路が複雑なものになってしまう。なお、本願では、この分離が難しい周波数帯を「分離困難周波数帯」という。
【００２８】
図２（ｂ）は、第一ＢＰＦ１９が通過させる周波数の特性を示すグラフである。第一ＢＰＦ１９は、図２（ａ）で示した円弧Ｐよりも若干広い周波数帯（この周波数帯が上述した「第一の周波数帯」）であって分離困難周波数帯を含む周波数帯の信号を通す特性を有する。なお、第一ＢＰＦ１９が、円弧Ｐよりもあまりに広過ぎる周波数帯の信号を通す特性を有していると、結果的に、輝度信号成分が失われ過ぎてしまうことになるため、使用するディスプレイのサイズ等を考慮しながら、適切な特性のフィルタを選択する必要がある。
【００２９】
図２（ｃ）は、第二ＢＰＦ２１が通過させる周波数の特性を示すグラフである。第二ＢＰＦ２１は、図２（ａ）で示した円弧Ｐよりも若干狭い周波数帯（この周波数帯が上述した「第二の周波数帯」）であって、分離困難周波数帯を含まない周波数帯の信号を通す特性を有する。なお、第二ＢＰＦ２１が、円弧Ｐよりもあまりに狭すぎる周波数帯の信号のみを通す特性を有していると、色信号成分が失われ過ぎてしまうことになるため、使用するディスプレイのサイズ等を考慮しながら、適切な特性のフィルタを選択する必要がある。
【００３０】
次に、信号分離装置１の作用効果について説明する。
第一ＢＰＦ１９によって出力される信号は、分離困難周波数帯の信号を含む色信号である（図２（ｂ）参照）。そして、その分離困難周波数帯の信号を含む色信号から、第二ＢＰＦ２１によって分離困難周波数帯の信号が取り除かれた色信号が第二ＢＰＦ２１から出力される（図２（ｃ）参照）。つまり、二段のＢＰＦにより、分離困難周波数帯が除かれた色信号が出力されるようになっている。
【００３１】
また、第一減算回路２３によって、合成映像信号から第一ＢＰＦ１９の出力信号（分離困難周波数帯の信号を含む色信号）が減算されるため、分離困難周波数帯の信号を含まない輝度信号が第一減算回路２３から出力される。
【００３２】
このように、第一ＢＰＦ１９、第二ＢＰＦ２１及び第一減算回路２３によって構成される回路（以下、「改良型ＢＰＦ回路」と言う。）によって出力される輝度信号及び色信号は、分離困難周波数帯の信号を含まないため、大規模な回路を用いなくても、クロスカラーの発生やドット妨害の発生を抑えることができる。
【００３３】
なお、信号分離装置１は、加算回路２５及び第二減算回路２７によって構成される、いわゆるくし形フィルタ回路も有しており、改良型ＢＰＦ回路によって出力される信号と、くし形フィルタ回路によって出力される信号の何れを出力信号とするかを、相関判断回路１７の出力によって切り替えるようになっている。相関判断回路１７は上述したように所定の閾値に基づいて動作するようになっているが、改良型ＢＰＦ回路によって出力される信号は分離困難周波数帯の信号を含まないため、閾値調整が従来より容易になる。
【００３４】
［第二実施形態］
次に第二実施形態の信号分離装置２について説明する。なお、信号分離装置２の説明において第一実施形態の信号分離装置１と同一の部分については同一の符号を付すことにより説明を省略する。
【００３５】
図３は、第二実施形態の信号分離装置２の概略構成を示すブロック図である。第一実施形態の信号分離装置１との相違点は、加算回路２５の出力信号を周波数検出回路２９に入力させ、周波数検出回路２９の出力をゲイン制御回路３１に入力させてゲイン制御回路３１が制御されるようになっている点である。そして、ゲイン制御回路３１は、第二減算回路２７の出力を入力し、ゲインが制御された出力信号を第二セレクタ３５へ出力するようになっている点も相違点である。以下、それぞれを具体的に説明する。
【００３６】
周波数検出回路２９は、図４（ａ）に示す特性を有するＢＰＦと、図４（ｂ）に示す特性を有するトラッピングフィルタを重ね合わせたものであり、図４（ｃ）に示すような周波数特性を有するフィルタ回路である。
【００３７】
図４（ａ）に示すグラフの特性を有するＢＰＦは、図２（ａ）に示した円弧Ｐに類似した形状の周波数特性を有するＢＰＦである。
図４（ｂ）に示すグラフの特性を有するトラッピングフィルタは、特定の周波数帯を減衰させる特性を有したものであり、その減衰させる周波数帯と、図２（ａ）に示した円弧Ｐとが一部重なるようになったフィルタである。
【００３８】
図４（ｃ）の示すグラフは、図４（ａ）に示すグラフの特性を有するＢＰＦと、図４（ｂ）に示すグラフの特性を有するトラッピングフィルタとを組み合わせた回路の周波数特性を示すものであり、図２（ａ）に示した円弧Ｐの両端付近の信号（分離困難周波数帯付近の信号）のみを通過させる周波数特性を有するものである。
【００３９】
つまり、周波数検出回路２９は、周波数検出回路２９に入力された信号の中に、図２（ａ）に示した円弧Ｐの両端付近の信号（分離困難周波数帯の信号）が含まれていた場合、そのタイミングで電圧を出力し、ゲイン制御回路３１に入力する。
【００４０】
ゲイン制御回路３１は、周波数検出回路２９から入力された電圧に基づいて、第二減算回路２７から入力した信号のゲインを制御する。具体的には、電圧がかかると第二減算回路２７から入力した信号のゲインを下げるように制御する。具体的な構成としては、例えば、減算回路や割り算回路が考えられる。
【００４１】
なお、第二セレクタ３５は、第二ＢＰＦ２１から入力した信号とゲイン制御回路３１から入力した信号とを、相関判断回路１７からの信号に基づいて切り替えて出力する。具体的には、相関判断回路１７からオフ信号が出力されている間は、第二ＢＰＦ２１からの信号を出力し、相関判断回路１７からオン信号が出力されている間はゲイン制御回路３１からの信号を色信号出力端子３９へ出力する。
【００４２】
次に、信号分離装置２の作用効果について説明する。
第一ＢＰＦ１９によって出力される信号は、分離困難周波数帯の信号を含む色信号である（図２（ｂ）参照）。そして、その分離困難周波数帯の信号を含む色信号から、第二ＢＰＦ２１によって分離困難周波数帯の信号が取り除かれた色信号が第二ＢＰＦ２１から出力される（図２（ｃ）参照）。つまり、二段のＢＰＦにより、分離困難周波数帯が除かれた色信号が出力されるようになっている。
【００４３】
また、第一減算回路２３によって、合成映像信号から第一ＢＰＦ１９の出力信号（分離困難周波数帯の信号を含む色信号）が減算されるため、分離困難周波数帯の信号を含まない輝度信号が第一減算回路２３から出力される。
【００４４】
このように、第一ＢＰＦ１９、第二ＢＰＦ２１及び第一減算回路２３によって構成される回路（改良型ＢＰＦ回路）によって出力される輝度信号及び色信号は、分離困難周波数帯の信号を含まないため、クロスカラーの発生を抑えることができる。
【００４５】
また、周知の通り合成映像信号中の色信号はライン間で位相が反転されているため、ライン間で信号の相違が少ない場合、ライン間で合成映像信号を加算すれば色信号が相殺されて輝度信号のみになる。したがって、加算回路２５からは輝度信号が出力される。
【００４６】
また、ライン間で信号の相違が少ない場合、ライン間で合成映像信号を減算すれば輝度信号が除かれ、２倍の振幅を持つ色信号になる。したがって、第二減算回路２７からは色信号が出力される。
【００４７】
そして、加算回路２５から出力された輝度信号の周波数帯を周波数検出回路２９で検出し、その出力結果に応じて第二減算回路２７の出力信号である色信号のレベルを絞るようになっている。
【００４８】
一般的に、輝度信号が分離困難周波数帯に入っているタイミングでは、くし形フィルタ回路から出力される色信号に輝度信号が乗ってしまい不正な色信号になっているケースも多い（クロスカラー）。このため、上述したように色信号のレベルを絞るようになっていれば、クロスカラーによる映像の不具合を視聴者に感じさせにくくすることができる。
【００４９】
［特許請求の範囲との対応］
次に上記実施形態で用いた用語と、特許請求の範囲の記載に用いた用語との対応を示す。
【００５０】
第一ＢＰＦ１９が第一の帯域通過フィルタに相当し、第二ＢＰＦ２１が第二の帯域通過フィルタに相当し、第一減算回路２３が減算手段及び第一の減算手段に相当する。また、第一ライン遅延回路１３が第一のライン遅延手段に相当し、第二ライン遅延回路１５が第二のライン遅延手段に相当し、相関判断回路１７が相関判断手段に相当する。また、加算回路２５が加算手段に相当し、第二減算回路２７が第二の減算手段に相当し、第一セレクタ３３が第一のセレクタに相当し、第二セレクタ３５が第二のセレクタに相当する。また、周波数検出回路２９が制御信号出力手段に相当し、ゲイン制御回路３１がゲイン制御手段に相当する。
【図面の簡単な説明】
【００５１】
【図１】第一実施形態の信号分離装置の概略構成を示すブロック図である。
【図２】第一ＢＰＦ及び第二ＢＦＰの特性を説明するためのグラフである。
【図３】第二実施形態の信号分離装置の概略構成を示すブロック図である。
【図４】周波数検出回路の特性を説明するためのグラフである。
【符号の説明】
【００５２】
１…信号分離装置、２…信号分離装置、１１…入力信号端子、１３…第一ライン遅延回路、１５…第二ライン遅延回路、１７…相関判断回路、１９…第一ＢＰＦ、２１…第二ＢＰＦ、２３…第一減算回路、２５…加算回路、２７…第二減算回路、２９…周波数検出回路、３１…ゲイン制御回路、３３…第一セレクタ、３５…第二セレクタ、３７…輝度信号出力端子、３９…色信号出力端子。
【図１】
2008098917.tif 000003
【図２】
2008098917.tif 000004
【図３】
2008098917.tif 000005
【図４】
2008098917.tif 000006